(57)【要約】【課題】負荷の個数の増大に適切に対応することが可能な半導体集積回路、負荷駆動システムおよび電子機器を提供する。【解決手段】半導体集積回路１０１は、第１の負荷Ｚ１および第２の負荷Ｚ１１が外部に配置され、第１の負荷Ｚ１および第２の負荷Ｚ１１に電圧を供給する電源回路１と、第１の負荷Ｚ１に所定電流を供給する第１の電流源Ｋ１と、半導体集積回路１０１の外部に配置され、第２の負荷Ｚ１１に所定電流を供給する第２の電流源Ｋ１１と、第２の負荷Ｚ１１との間のノードＮ１１における電圧を受ける入力端子Ｔ４とを備え、電源回路１は、入力端子Ｔ４から受けた電圧と、第１の電流源Ｋ１および第１の負荷Ｚ１間のノードＮ１における電圧とに基づいて第１の負荷Ｚ１および第２の負荷Ｚ１１に電圧を供給する。【選択図】図１
2008067464.tif 000002
【特許請求の範囲】
【請求項１】
第１の負荷および第２の負荷が外部に配置される半導体集積回路であって、
前記第１の負荷および前記第２の負荷に電圧を供給する電源回路と、
前記第１の負荷に所定電流を供給する第１の電流源と、
前記半導体集積回路の外部に配置され、前記第２の負荷に所定電流を供給する第２の電流源と、前記第２の負荷との間のノードにおける電圧を受ける入力端子とを備え、
前記電源回路は、前記入力端子から受けた電圧と、前記第１の電流源および前記第１の負荷間のノードにおける電圧とに基づいて前記第１の負荷および前記第２の負荷に電圧を供給する半導体集積回路。
【請求項２】
前記電源回路は、
前記入力端子から受けた電圧、ならびに前記第１の電流源および前記第１の負荷間のノードにおける電圧のうちの小さい方の電圧と基準電圧とを比較し、前記比較結果に基づいて制御電圧を生成する制御電圧生成回路と、
前記制御電圧に基づいて前記第１の負荷および前記第２の負荷に直流電圧を供給するＤＣ−ＤＣコンバータとを含む請求項１記載の半導体集積回路。
【請求項３】
前記第１の負荷および前記第２の負荷はＬＥＤである請求項１記載の半導体集積回路。
【請求項４】
第１の負荷、第２の負荷および第３の負荷が外部に配置される半導体集積回路であって、
前記第１の負荷、前記第２の負荷および前記第３の負荷に電圧を供給する電圧供給用半導体集積回路が前記半導体集積回路の外部に配置され、
前記電圧供給用半導体集積回路は、
前記第１の負荷に所定電流を供給する第１の電流源と、
入力端子と、
前記入力端子から受けた電圧と、前記第１の電流源および前記第１の負荷間のノードにおける電圧とに基づいて前記第１の負荷、前記第２の負荷および前記第３の負荷に電圧を供給する電源回路とを備え、
前記半導体集積回路は、
前記第２の負荷に所定電流を供給する第２の電流源と、
前記第３の負荷に所定電流を供給する第３の電流源と、
前記第２の電流源および前記第２の負荷間のノードにおける電圧、および前記第３の電流源および前記第３の負荷間のノードにおける電圧のうちの小さい方の電圧を選択して前記入力端子へ出力する電圧選択回路とを備える半導体集積回路。
【請求項５】
前記第１の負荷、前記第２の負荷および前記第３の負荷はＬＥＤである請求項４記載の半導体集積回路。
【請求項６】
第１の半導体集積回路と、第２の半導体集積回路とを備え、第１の負荷および第２の負荷が外部に配置される負荷駆動システムであって、
前記第１の半導体集積回路は、
前記第１の負荷および前記第２の負荷に電圧を供給する電源回路と、
前記第１の負荷に所定電流を供給する第１の電流源とを備え、
前記第２の半導体集積回路は、
前記第２の負荷に所定電流を供給する第２の電流源を備え、
前記第１の半導体集積回路は、さらに、
前記第２の電流源および前記第２の負荷間のノードにおける電圧を受ける入力端子を備え、
前記電源回路は、前記入力端子から受けた電圧と、前記第１の電流源および前記第１の負荷間のノードにおける電圧とに基づいて前記第１の負荷および前記第２の負荷に電圧を供給する負荷駆動システム。
【請求項７】
前記負荷駆動システムは、さらに、第３の負荷が外部に配置され、
前記電源回路は、さらに、前記第３の負荷に電圧を供給し、
前記第２の半導体集積回路は、さらに、
前記第３の負荷に所定電流を供給する第３の電流源と、
前記第２の電流源および前記第２の負荷間のノードにおける電圧、および前記第３の電流源および前記第３の負荷間のノードにおける電圧の小さい方の電圧を選択して出力する電圧選択回路とを備え、
前記入力端子は、前記電圧選択回路の出力電圧を受け、
前記電源回路は、前記入力端子から受けた電圧と、前記第１の電流源および前記第１の負荷間のノードにおける電圧とに基づいて前記第１の負荷、前記第２の負荷および前記第３の負荷に電圧を供給する請求項６記載の負荷駆動システム。
【請求項８】
第１の負荷と、第２の負荷と、半導体集積回路とを有する電子機器であって、
前記半導体集積回路は、
前記第１の負荷および前記第２の負荷に電圧を供給する電源回路と、
前記第１の負荷に所定電流を供給する第１の電流源と、
前記半導体集積回路の外部に配置され、前記第２の負荷に所定電流を供給する第２の電流源と、前記第２の負荷との間のノードにおける電圧を受ける入力端子とを備え、
前記電源回路は、前記入力端子から受けた電圧と、前記第１の電流源および前記第１の負荷間のノードにおける電圧とに基づいて前記第１の負荷および前記第２の負荷に電圧を供給する電子機器。
【請求項９】
第１の負荷と、第２の負荷と、第３の負荷と、第１の半導体集積回路と、第２の半導体集積回路とを有する電子機器であって、
前記第１の半導体集積回路は、
前記第１の負荷、前記第２の負荷および前記第３の負荷に電圧を供給する電源回路と、
前記第１の負荷に所定電流を供給する第１の電流源とを備え、
前記第２の半導体集積回路は、
前記第２の負荷に所定電流を供給する第２の電流源と、
前記第３の負荷に所定電流を供給する第３の電流源と、
前記第２の電流源および前記第２の負荷間のノードにおける電圧、および前記第３の電流源および前記第３の負荷間のノードにおける電圧の小さい方の電圧を選択して出力する電圧選択回路とを備え、
前記第１の半導体集積回路は、さらに、
前記電圧選択回路の出力電圧を受ける前記入力端子を備え、
前記電源回路は、前記入力端子から受けた電圧と、前記第１の電流源および前記第１の負荷間のノードにおける電圧とに基づいて前記第１の負荷、前記第２の負荷および前記第３の負荷に電圧を供給する電子機器。
【発明の詳細な説明】
【技術分野】
【０００１】
本発明は、半導体集積回路、負荷駆動システムおよび電子機器に関し、特に、複数個の負荷を駆動する半導体集積回路、負荷駆動システムおよび電子機器に関する。
【背景技術】
【０００２】
携帯電話が搭載する発光ダイオード（ＬＥＤ：Light Emitting Diode）の個数は、ＬＣＤディスプレイの数の増加、およびイルミネーションの種類の増加等に対応するために、近年、増加する傾向にある。また、携帯電話に限らず、ＰＤＡ（Personal Digital Assistance）および子供の玩具等の電子機器が搭載する発光ダイオードの個数も、近年、増加する傾向にある。
【０００３】
このような電子機器では、ＬＥＤを駆動して発光させるＬＥＤドライバが搭載されるが、電子機器が搭載するＬＥＤの個数の増加に伴い、より多数のＬＥＤを駆動するＬＥＤドライバが要求されている。
【０００４】
複数のＬＥＤを駆動するＬＥＤドライバとして、たとえば、特許文献１には、以下のような負荷駆動装置が開示されている。すなわち、電源電圧を変換して所定の出力電圧として複数の負荷に供給する出力回路と、複数の負荷にそれぞれ直列に接続されてそれぞれ調整可能な定電流を流す複数の定電流源とを備え、出力回路は、複数の負荷と複数の定電流源との各接続点の電圧のうちの最も低い電圧が一定電圧になるように所定の出力電圧を制御する。
【特許文献１】特許第３７５５７７０号公報
【発明の開示】
【発明が解決しようとする課題】
【０００５】
しかしながら、多数のＬＥＤを駆動するＬＥＤドライバを１チップすなわち１個の半導体集積回路で実現しようとすると、開発日程が長期化してしまい、また、たとえば携帯電話のモデル展開に対応するために、より多数のＬＥＤを駆動するＬＥＤドライバを繰り返し開発する必要が生じるため、開発コストが増大してしまう。
【０００６】
また、電子機器がＬＥＤドライバとして複数個の半導体集積回路を備える構成とすると、実装面積が大きくなってしまい、電子機器の小型化を図ることが困難となる。
【０００７】
それゆえに、本発明の目的は、負荷の個数の増大に適切に対応することが可能な半導体集積回路、負荷駆動システムおよび電子機器を提供することである。
【課題を解決するための手段】
【０００８】
上記課題を解決するために、本発明のある局面に係わる半導体集積回路は、第１の負荷および第２の負荷が外部に配置される半導体集積回路であって、第１の負荷および第２の負荷に電圧を供給する電源回路と、第１の負荷に所定電流を供給する第１の電流源と、半導体集積回路の外部に配置され、第２の負荷に所定電流を供給する第２の電流源と、第２の負荷との間のノードにおける電圧を受ける入力端子とを備え、電源回路は、入力端子から受けた電圧と、第１の電流源および第１の負荷間のノードにおける電圧とに基づいて第１の負荷および第２の負荷に電圧を供給する。
【０００９】
好ましくは、電源回路は、入力端子から受けた電圧、ならびに第１の電流源および第１の負荷間のノードにおける電圧のうちの小さい方の電圧と基準電圧とを比較し、比較結果に基づいて制御電圧を生成する制御電圧生成回路と、制御電圧に基づいて第１の負荷および第２の負荷に直流電圧を供給するＤＣ−ＤＣコンバータとを含む。
【００１０】
好ましくは、第１の負荷および第２の負荷はＬＥＤである。
また本発明のさらに別の局面に係わる半導体集積回路は、第１の負荷、第２の負荷および第３の負荷が外部に配置される半導体集積回路であって、第１の負荷、第２の負荷および第３の負荷に電圧を供給する電圧供給用半導体集積回路が半導体集積回路の外部に配置され、電圧供給用半導体集積回路は、第１の負荷に所定電流を供給する第１の電流源と、入力端子と、入力端子から受けた電圧と、第１の電流源および第１の負荷間のノードにおける電圧とに基づいて第１の負荷、第２の負荷および第３の負荷に電圧を供給する電源回路とを備え、半導体集積回路は、第２の負荷に所定電流を供給する第２の電流源と、第３の負荷に所定電流を供給する第３の電流源と、第２の電流源および第２の負荷間のノードにおける電圧、および第３の電流源および第３の負荷間のノードにおける電圧のうちの小さい方の電圧を選択して入力端子へ出力する電圧選択回路とを備える。
【００１１】
好ましくは、第１の負荷、第２の負荷および第３の負荷はＬＥＤである。
上記課題を解決するために、本発明のある局面に係わる負荷駆動システムは、第１の半導体集積回路と、第２の半導体集積回路とを備え、第１の負荷および第２の負荷が外部に配置される負荷駆動システムであって、第１の半導体集積回路は、第１の負荷および第２の負荷に電圧を供給する電源回路と、第１の負荷に所定電流を供給する第１の電流源とを備え、第２の半導体集積回路は、第２の負荷に所定電流を供給する第２の電流源を備え、第１の半導体集積回路は、さらに、第２の電流源および第２の負荷間のノードにおける電圧を受ける入力端子を備え、電源回路は、入力端子から受けた電圧と、第１の電流源および第１の負荷間のノードにおける電圧とに基づいて第１の負荷および第２の負荷に電圧を供給する。
【００１２】
好ましくは、負荷駆動システムは、さらに、第３の負荷が外部に配置され、電源回路は、さらに、第３の負荷に電圧を供給し、第２の半導体集積回路は、さらに、第３の負荷に所定電流を供給する第３の電流源と、第２の電流源および第２の負荷間のノードにおける電圧、および第３の電流源および第３の負荷間のノードにおける電圧の小さい方の電圧を選択して出力する電圧選択回路とを備え、入力端子は、電圧選択回路の出力電圧を受け、電源回路は、入力端子から受けた電圧と、第１の電流源および第１の負荷間のノードにおける電圧とに基づいて第１の負荷、第２の負荷および第３の負荷に電圧を供給する。
【００１３】
上記課題を解決するために、本発明のある局面に係わる電子機器は、第１の負荷および第２の負荷と、半導体集積回路とを有する電子機器であって、半導体集積回路は、第１の負荷および第２の負荷に電圧を供給する電源回路と、第１の負荷に所定電流を供給する第１の電流源と、半導体集積回路の外部に配置され、第２の負荷に所定電流を供給する第２の電流源と、第２の負荷との間のノードにおける電圧を受ける入力端子とを備え、電源回路は、入力端子から受けた電圧と、第１の電流源および第１の負荷間のノードにおける電圧とに基づいて第１の負荷および第２の負荷に電圧を供給する。
【００１４】
また本発明のさらに別の局面に係わる電子機器は、第１の負荷と、第２の負荷と、第３の負荷と、第１の半導体集積回路と、第２の半導体集積回路とを有する電子機器であって、第１の半導体集積回路は、第１の負荷、第２の負荷および第３の負荷に電圧を供給する電源回路と、第１の負荷に所定電流を供給する第１の電流源とを備え、第２の半導体集積回路は、第２の負荷に所定電流を供給する第２の電流源と、第３の負荷に所定電流を供給する第３の電流源と、第２の電流源および第２の負荷間のノードにおける電圧、および第３の電流源および第３の負荷間のノードにおける電圧の小さい方の電圧を選択して出力する電圧選択回路とを備え、第１の半導体集積回路は、さらに、電圧選択回路の出力電圧を受ける入力端子を備え、電源回路は、入力端子から受けた電圧と、第１の電流源および第１の負荷間のノードにおける電圧とに基づいて第１の負荷、第２の負荷および第３の負荷に電圧を供給する。
【発明の効果】
【００１５】
本発明によれば、負荷の個数の増大に適切に対応することができる。
【発明を実施するための最良の形態】
【００１６】
以下、本発明の実施の形態について図面を用いて説明する。なお、図中同一または相当部分には同一符号を付してその説明は繰り返さない。
【００１７】
＜第１の実施の形態＞
［構成および基本動作］
図１は、本発明の第１の実施の形態に係る電子機器の構成を示す図である。図１を参照して、電子機器３０１は、負荷駆動システム２０１と、発光ダイオード（負荷）Ｚ１〜Ｚ３およびＺ１１〜Ｚ１３とを備える。負荷駆動システム２０１は、半導体集積回路１０１および１０２を含む。半導体集積回路１０１は、電源回路１と、定電流源Ｋ１〜Ｋ３と、スイッチＳＷ１と、入力端子Ｔ１〜Ｔ４と、出力端子Ｔ６とを含む。電源回路１は、ＤＣ／ＤＣコンバータ２と、制御電圧生成回路３とを含む。半導体集積回路１０２は、定電流源Ｋ１１〜Ｋ１３と、電圧選択回路１１と、入力端子Ｔ１１〜Ｔ１３と、出力端子Ｔ１４とを含む。
【００１８】
電源回路１は、発光ダイオードＺ１〜Ｚ３およびＺ１１〜Ｚ１３に電圧を供給する。
定電流源Ｋ１〜Ｋ３およびＫ１１〜Ｋ１３は、発光ダイオードＺ１〜Ｚ３およびＺ１１〜Ｚ１３にそれぞれ所定電流を供給する。
【００１９】
電圧選択回路１１は、定電流源Ｋ１１〜Ｋ１３および発光ダイオードＺ１１〜Ｚ１３間のノードＮ１１〜Ｎ１３における電圧の中で最小の電圧を選択し、選択した電圧を出力端子Ｔ１４から半導体集積回路１０１の入力端子Ｔ４へ出力する。
【００２０】
電源回路１は、定電流源Ｋ１〜Ｋ３および発光ダイオードＺ１〜Ｚ３間のノードＮ１〜Ｎ３における電圧、ならびに入力端子Ｔ４から受けた電圧に基づいて発光ダイオードＺ１〜Ｚ３およびＺ１１〜Ｚ１３に電圧を供給する。より詳細には、制御電圧生成回路３は、ノードＮ１〜Ｎ３における電圧および入力端子Ｔ４から受けた電圧すなわち電圧選択回路１１の出力電圧の中で最小の電圧を選択する。そして、制御電圧生成回路３は、選択した最小電圧と基準電圧ＶＲＥＦとを比較し、両者の差に対応する電圧を制御電圧としてＤＣ／ＤＣコンバータ２へ出力する。ＤＣ／ＤＣコンバータ２は、制御電圧生成回路３から受けた制御電圧に基づいて直流電圧を生成し、生成した直流電圧を出力端子Ｔ６から発光ダイオードＺ１〜Ｚ３およびＺ１１〜Ｚ１３へ出力する。
【００２１】
たとえば、製造ばらつきに起因して発光ダイオードＺ１〜Ｚ３およびＺ１１〜Ｚ１３の順方向電圧がばらつき、これらの発光ダイオードの中で発光ダイオードＺ１の順方向電圧が最大となる場合には、定電流源Ｋ１〜Ｋ３およびＫ１１〜Ｋ１３の中で、定電流源Ｋ１への供給電圧が最小になる。ここで、定電流源への供給電圧は、定電流源および発光ダイオード間のノードにおける電圧に対応する。したがって、制御電圧生成回路３は、ノードＮ１〜Ｎ３およびＮ１１〜Ｎ１３における電圧の中で、最小となるノードＮ１における電圧を選択し、基準電圧ＶＲＥＦと比較する。そして、制御電圧生成回路３は、定電流源Ｋ１〜Ｋ３およびＫ１１〜Ｋ１３の中で最小である定電流源Ｋ１への供給電圧が基準電圧ＶＲＥＦと等しくなるような制御電圧を生成し、ＤＣ／ＤＣコンバータ２へ出力する。
【００２２】
このような構成により、定電流源Ｋ１〜Ｋ３およびＫ１１〜Ｋ１３への供給電圧がそれぞれ基準電圧ＶＲＥＦ以上である状態を維持することができる。そうすると、定電流源Ｋ１〜Ｋ３およびＫ１１〜Ｋ１３がそれぞれ所定電流を出力する状態を維持することができ、発光ダイオードＺ１〜Ｚ３およびＺ１１〜Ｚ１３の発光状態を安定化することができる。
【００２３】
また、基準電圧ＶＲＥＦを、定電流源Ｋ１〜Ｋ３およびＫ１１〜Ｋ１３がそれぞれ発光ダイオードＺ１〜Ｚ３およびＺ１１〜Ｚ１３に所定電流を供給することができる最小限の電圧値に設定することにより、定電流源Ｋ１〜Ｋ３およびＫ１１〜Ｋ１３における電力損失の最小化を図ることができる。
【００２４】
スイッチＳＷ１は、半導体集積回路１０２からＤＣ／ＤＣコンバータ２への帰還電圧すなわち入力端子Ｔ４が受ける電圧を遮断するか否かを切り替える。スイッチＳＷ１が帰還電圧を遮断している場合、制御電圧生成回路３は、ノードＮ１〜Ｎ３における電圧のみに基づいて制御電圧を生成する。このような構成により、電子機器３０１に半導体集積回路１０１のみを搭載する場合、入力端子Ｔ４からの電圧を受ける制御電圧生成回路３の入力端子と、半導体集積回路１０１の入力端子Ｔ４とを電気的に遮断することができ、外部ノイズ等に起因する制御電圧生成回路３の誤動作を防ぐことができる。
【００２５】
ところで、特許文献１記載のＬＥＤドライバ等、従来の半導体集積回路では、多数のＬＥＤを駆動するＬＥＤドライバを１個の半導体集積回路で実現しようとすると、開発日程が長期化してしまい、また、たとえば携帯電話のモデル展開に対応するために、より多数のＬＥＤを駆動するＬＥＤドライバを繰り返し開発する必要が生じるため、開発コストが増大してしまうという問題点があった。また、電子機器がＬＥＤドライバとして複数個の半導体集積回路を備える構成とすると、実装面積が大きくなってしまい、電子機器の小型化を図ることが困難となるという問題点があった。
【００２６】
しかしながら、本発明の第１の実施の形態では、たとえば電子機器３０１に３個以下の発光ダイオードを搭載する場合には、電子機器３０１に半導体集積回路１０１のみを搭載すればよい。一方、仕様が変更され、たとえば電子機器３０１に６個の発光ダイオードを搭載する必要が生じた場合には、ＤＣ／ＤＣコンバータ２等を備えない簡易な構成の半導体集積回路１０２を電子機器３０１に追加搭載すればよい。
【００２７】
このような構成により、多数のＬＥＤを駆動するＬＥＤドライバを１個の半導体集積回路で実現する必要がなくなり、開発日程が長期化することを防ぐことができる。また、より多数のＬＥＤドライバを駆動する新たなＬＥＤドライバを開発する必要がなくなり、開発コストの増大を防ぐことができる。また、より多数のＬＥＤを駆動するために電子機器に半導体集積回路を追加する場合には、ＤＣ／ＤＣコンバータ等を備えない簡易な構成の半導体集積回路を追加すればよいため、電子機器の実装面積の増大を抑制することができる。
【００２８】
したがって、本発明の第１の実施の形態に係る半導体集積回路、負荷駆動システムおよび電子機器では、負荷の個数の増大に適切に対応することができる。
【００２９】
なお、本発明の第１の実施の形態に係る電子機器は、発光ダイオードＺ１〜Ｚ３およびＺ１１〜Ｚ１３を備え、また、半導体集積回路１０１および１０２の各々が、３個の発光ダイオードにそれぞれ所定電流を供給する３個の定電流源を備える構成であるとしたが、これに限定するものではない。電子機器３０１が２個の発光ダイオードを備え、半導体集積回路１０１および１０２の各々が、１個の発光ダイオードに所定電流を供給する１個の定電流源を備える。そして、電源回路１が、発光ダイオードおよび半導体集積回路１０１内の定電流源間のノードにおける電圧、ならびに発光ダイオードおよび半導体集積回路１０２内の定電流源間のノードにおける電圧に基づいて２個の発光ダイオードに電圧を供給する構成であってもよい。
【００３０】
次に、本発明の他の実施の形態について図面を用いて説明する。なお、図中同一または相当部分には同一符号を付してその説明は繰り返さない。
【００３１】
＜第２の実施の形態＞
本実施の形態は、第１の実施の形態に係る半導体集積回路と比べて対応する負荷の個数を変更した半導体集積回路に関する。以下で説明する内容以外は第１の実施の形態に係る半導体集積回路と同様である。
【００３２】
図２は、本発明の第２の実施の形態に係る電子機器の構成を示す図である。
図２を参照して、電子機器３０２は、負荷駆動システム２０２と、発光ダイオード（負荷）Ｚ１〜Ｚ３、Ｚ１１〜Ｚ１３およびＺ２１〜Ｚ２３とを備える。負荷駆動システム２０２は、半導体集積回路１１１と、半導体集積回路１０２および１０３とを含む。半導体集積回路１１１は、電源回路３１と、定電流源Ｋ１〜Ｋ３と、スイッチＳＷ１と、入力端子Ｔ１〜Ｔ５と、出力端子Ｔ６とを含む。電源回路３１は、ＤＣ／ＤＣコンバータ２と、制御電圧生成回路３３とを含む。半導体集積回路１０３は、定電流源Ｋ２１〜Ｋ２３と、電圧選択回路２１と、入力端子Ｔ２１〜Ｔ２３と、出力端子Ｔ２４とを含む。
【００３３】
電源回路３１は、発光ダイオードＺ１〜Ｚ３、Ｚ１１〜Ｚ１３およびＺ２１〜Ｚ２３に電圧を供給する。
【００３４】
定電流源Ｋ１〜Ｋ３、Ｋ１１〜Ｋ１３およびＫ２１〜Ｋ２３は、発光ダイオードＺ１〜Ｚ３、Ｚ１１〜Ｚ１３およびＺ２１〜Ｚ２３にそれぞれ所定電流を供給する。
【００３５】
電圧選択回路２１は、定電流源Ｋ２１〜Ｋ２３および発光ダイオードＺ２１〜Ｚ２３間のノードＮ２１〜Ｎ２３における電圧の中で最小の電圧を選択し、選択した電圧を出力端子Ｔ２４から半導体集積回路１１１の入力端子Ｔ５へ出力する。
【００３６】
電源回路３１は、定電流源Ｋ１〜Ｋ３および発光ダイオードＺ１〜Ｚ３間のノードＮ１〜Ｎ３における電圧、ならびに入力端子Ｔ４およびＴ５から受けた電圧に基づいて発光ダイオードＺ１〜Ｚ３、Ｚ１１〜Ｚ１３およびＺ２１〜Ｚ２３に電圧を供給する。より詳細には、制御電圧生成回路３３は、ノードＮ１〜Ｎ３における電圧、ならびに入力端子Ｔ４およびＴ５から受けた電圧すなわち電圧選択回路１１および２１の出力電圧の中で最小の電圧を選択する。そして、制御電圧生成回路３３は、選択した最小電圧と基準電圧ＶＲＥＦとを比較し、両者の差に対応する電圧を制御電圧としてＤＣ／ＤＣコンバータ２へ出力する。ＤＣ／ＤＣコンバータ２は、制御電圧生成回路３３から受けた制御電圧に基づいて直流電圧を生成し、生成した直流電圧を出力端子Ｔ６から発光ダイオードＺ１〜Ｚ３、Ｚ１１〜Ｚ１３およびＺ２１〜Ｚ２３へ出力する。
【００３７】
スイッチＳＷ２は、半導体集積回路１０３からＤＣ／ＤＣコンバータ２への帰還電圧すなわち入力端子Ｔ５が受ける電圧を遮断するか否かを切り替える。スイッチＳＷ２が帰還電圧を遮断しており、かつスイッチＳＷ１が帰還電圧を遮断していない場合、制御電圧生成回路３３は、ノードＮ１〜Ｎ３および入力端子Ｔ４から受けた電圧に基づいて制御電圧を生成する。このような構成により、電子機器３０１に半導体集積回路１０３を搭載しない場合、入力端子Ｔ５からの電圧を受ける制御電圧生成回路３３の入力端子と、半導体集積回路１１１の入力端子Ｔ５とを電気的に遮断することができ、外部ノイズ等に起因する制御電圧生成回路３３の誤動作を防ぐことができる。
【００３８】
その他の構成および動作は第１の実施の形態と同様であるため、ここでは詳細な説明を繰り返さない。したがって、本発明の第２の実施の形態に係る半導体集積回路、負荷駆動システムおよび電子機器では、本発明の第１の実施の形態と同様に、負荷の個数の増大に適切に対応することができる。
【００３９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４０】
【図１】本発明の第１の実施の形態に係る電子機器の構成を示す図である。
【図２】本発明の第２の実施の形態に係る電子機器の構成を示す図である。
【符号の説明】
【００４１】
１，３１  電源回路、２  ＤＣ／ＤＣコンバータ、３，３３  制御電圧生成回路、１１，２１  電圧選択回路、１０１〜１０３，１１１  半導体集積回路、２０１，２０２  負荷駆動システム、３０１，３０２  電子機器、Ｚ１〜Ｚ３，Ｚ１１〜Ｚ１３，Ｚ２１〜Ｚ２３  発光ダイオード（負荷）、Ｋ１〜Ｋ３，Ｋ１１〜Ｋ１３，Ｋ２１〜Ｋ２３  定電流源、Ｔ１〜Ｔ５，Ｔ１１〜Ｔ１３，Ｔ２１〜Ｔ２３  入力端子、Ｔ６，Ｔ１４，Ｔ２４  出力端子、ＳＷ１，ＳＷ２  スイッチ。
【図１】
2008067464.tif 000003
【図２】
2008067464.tif 000004